(57)【要約】【課題】本発明は、漏れを抑制できる吸収性物品を提供することを目的とする。【解決手段】本発明は、吸収性物品であって、吸収体と、吸収体の肌面側を覆う液透過性のシート部材と、を備え、シート部材は、肌面側に配置された上側シートと、上側シートに重ねられて吸収体側に配置された下側シートと、を有し、上側シートを厚さ方向に貫通した曲線状の切り込みで画定され、切り込みの両端部を結ぶ切り残しによって上側シートに繋がる弁部と、弁部が下側シートに接合されることで形成され、上側シートの肌面側と、上側シートと下側シートの間に形成される空間と、を連通する孔と、を備える。【選択図】図６
2020092895.tif 000002
【特許請求の範囲】
【請求項１】
吸収体と、
前記吸収体の肌面側を覆う液透過性のシート部材と、
を備え、
前記シート部材は、前記肌面側に配置された上側シートと、前記上側シートに重ねられて前記吸収体側に配置された下側シートと、を有し、
前記上側シートを厚さ方向に貫通した曲線状の切り込みで画定され、前記切り込みの両端部を結ぶ切り残しによって前記上側シートに繋がる弁部と、
前記弁部が前記下側シートに接合されることで形成され、前記上側シートの前記肌面側と、前記上側シートと前記下側シートの間に形成される空間と、を連通する孔と、
を備える、吸収性物品。
【請求項２】
着用者の腹部を覆う前身頃領域、着用者の背部を覆う後身頃領域、及び前記前身頃領域と前記後身頃領域の間に位置し、着用者の股下を覆う股下領域を備え、
前記シート部材は、前記前身頃領域と前記後身頃領域に跨って配置されており、
前記弁部は、前記上側シートにおける前記股下領域内に位置して着用者の肛門が当接する肛門当接位置よりも前記前身頃領域側の第１領域と、前記上側シートにおける前記肛門当接位置よりも前記後身頃領域側の第２領域とに、複数形成されており、
前記第１領域における前記弁部は、前記後身頃領域側に前記切り残しが向くように形成されており、
前記第２領域における前記弁部は、前記前身頃領域側に前記切り残しが向くように形成されている、
請求項１に記載の吸収性物品。
【請求項３】
前記前身頃領域と前記後身頃領域を結ぶ方向に伸長した状態で、前記第１領域と前記第２領域との間を中心として伸縮するように前記上側シートに配置された伸縮部材を備え、
前記上側シートは、前記伸縮部材が収縮することで、前記第１領域では前記後身頃領域の方向に収縮し、前記第２領域では前記前身頃領域方向に収縮する、
請求項２に記載の吸収性物品。
【請求項４】
前記前身頃領域と前記後身頃領域を結ぶ方向に伸長した状態で、前記第１領域と前記第２領域との間に対応する位置を中心として伸縮するように前記下側シートに配置された伸縮部材を備え、
前記下側シートは、前記伸縮部材が収縮することで、前記第１領域に対応する領域では前記後身頃領域方向に収縮し、前記第２領域に対応する領域では前記前身頃領域の方向に収縮する、
請求項２に記載の吸収性物品。
【請求項５】
前記切り込みは、略Ｃ字状である、
請求項１から４のいずれか一項に記載の吸収性物品。
【発明の詳細な説明】
【技術分野】
【０００１】
本発明は、紙おむつやパッド、生理用ナプキンといった吸収性物品に関する。
【背景技術】
【０００２】
従来、吸収性物品には、例えば、特許文献１に開示されているように、着用者の腹部側と背部側とを結ぶ長手方向に延びる吸収体が設けられている。この吸収体によって、排泄される尿や経血といった液体が吸収される。吸収性物品は、この吸収体を液透過性のシートと液不透過性のシートとの間に配置することにより、液透過性のシートに排泄される尿を吸収体で吸収し、吸収体で吸収された尿の漏出を液不透過性のシートで防ぐ。
【先行技術文献】
【特許文献】
【０００３】
【特許文献１】国際公開第２０１６／１１４２０９号
【発明の概要】
【発明が解決しようとする課題】
【０００４】
液透過性のシートには、例えば、不織布が用いられる。不織布は、柔らかい肌触りを実現可能なため、着用者の肌に触れるシートの素材として好適である。また、着用者から排泄されるものとしては、尿や経血の他に、例えば、水様便がある。水様便は、固形物と液体との混合物であって流動性を有している。吸収性物品では、水様便の液体を吸収体で吸収できずに流動性のある水様便が液透過性のシート上に存在してしまうと、水様便が外部に漏れてしまう虞がある。
【０００５】
そこで、本発明は、漏れを抑制できる吸収性物品を提供することを目的とする。
【課題を解決するための手段】
【０００６】
上記課題を解決するため、本発明では、吸収体の肌面側を覆う液透過性のシート部材は、肌面側に配置された上側シートと、上側シートに重ねられて吸収体側に配置された下側シートと、を有している。そして、上側シートを厚さ方向に貫通した曲線状の切り込みで画定され、前記切り込みの両端部を結ぶ切り残しによって上側シートに繋がる弁部が下側シートに接合されている。
【０００７】
詳細には、本発明は、吸収性物品であって、吸収体と、前記吸収体の肌面側を覆う液透過性のシート部材と、を備え、前記シート部材は、前記肌面側に配置された上側シートと、前記上側シートに重ねられて前記吸収体側に配置された下側シートと、を有し、前記上側シートを厚さ方向に貫通した曲線状の切り込みで画定され、前記切り込みの両端部を結ぶ切り残しによって前記上側シートに繋がる弁部と、前記弁部が前記下側シートに接合されることで形成され、前記上側シートの前記肌面側と、前記上側シートと前記下側シートの間に形成される空間と、を連通する孔と、を備える。
【０００８】
上記吸収性物品では、着用者の腹部を覆う前身頃領域、着用者の背部を覆う後身頃領域、及び前記前身頃領域と前記後身頃領域の間に位置し、着用者の股下を覆う股下領域を備え、前記シート部材は、前記前身頃領域と前記後身頃領域に跨って配置されており、前記弁部は、前記上側シートにおける前記股下領域内に位置して着用者の肛門が当接する肛門当接位置よりも前記前身頃領域側の第１領域と、前記上側シートにおける前記肛門当接位置よりも前記後身頃領域側の第２領域とに、複数形成されており、前記第１領域における前記弁部は、前記後身頃領域側に前記切り残しが向くように形成されており、前記第２領
域における前記弁部は、前記前身頃領域側に前記切り残しが向くように形成されていてもよい。
【０００９】
上記吸収性物品では、前記前身頃領域と前記後身頃領域を結ぶ方向に伸長した状態で、前記第１領域と前記第２領域との間を中心として伸縮するように前記上側シートに配置された伸縮部材を備え、前記上側シートは、前記伸縮部材が収縮することで、前記第１領域では前記後身頃領域の方向に収縮し、前記第２領域では前記前身頃領域方向に収縮してもよい。
【００１０】
上記吸収性物品では、前記前身頃領域と前記後身頃領域を結ぶ方向に伸長した状態で、前記第１領域と前記第２領域との間に対応する位置を中心として伸縮するように前記下側シートに配置された伸縮部材を備え、前記下側シートは、前記伸縮部材が収縮することで、前記第１領域に対応する領域では前記後身頃領域方向に収縮し、前記第２領域に対応する領域では前記前身頃領域の方向に収縮してもよい。
【００１１】
上記吸収性物品では、前記切り込みは、略Ｃ字状であってもよい。
【発明の効果】
【００１２】
上記の本発明によれば、漏れを抑制できる。
【図面の簡単な説明】
【００１３】
【図１】図１は、実施形態に係るパンツ型使い捨ておむつの斜視図である。
【図２】図２は、実施形態に係るおむつの分解斜視図である。
【図３】図３は、実施形態に係るおむつを展開し、伸長した状態を模式的に示した図である。
【図４】図４は、糸ゴム同士の間隔とウェストギャザーに現れる通気路との関係を示した図である。
【図５】図５は、実施形態に係るおむつのセンターシートを示す図である。
【図６】図６は、実施形態に係るおむつのセンターシートに形成された弁部を示す図である。
【図７】図７は、実施形態に係るおむつのセンターシートを示す図である。
【図８】図８は、実施形態に係るおむつのセンターシートを示す図である。
【図９】図９は、実施形態に係るおむつのセンターシートの下側シートを示す図である。
【発明を実施するための形態】
【００１４】
以下、本発明の実施形態について説明する。以下に示す実施形態は、本発明の実施形態の一例であり、本発明の技術的範囲を以下の態様に限定するものではない。
【００１５】
＜実施形態＞
図１は、実施形態に係るパンツ型使い捨ておむつ（以下、単に「おむつ」という）の斜視図である。本願で用いる方向に関する用語は、おむつ１が着用者に着用された状態において該着用者の前後左右に一致する方向を意味するものとする。例えば、本願で左右方向という場合、おむつ１の着用者に着用された状態において該着用者の左右に一致する方向を意味する。
【００１６】
本実施形態では、吸収性物品の一例として、着用者の腹囲が入る開口部と、着用者の左下肢及び右下肢が挿通される左右一対の開口部とを有する筒状構造のパンツ型使い捨ておむつを例示するが、本願でいう「吸収性物品」は、パンツ型使い捨ておむつに限定されるものでない。本願でいう「吸収性物品」には、例えば、着用者の股下（陰部）を前身頃か
ら後身頃にかけて覆うシート状の部材の一端部付近に固定されたテープを、該シート状の部材の他端部付近に貼り付けることで筒状構造を形成するテープ型使い捨ておむつ等、腹囲と股下を包み得る各種形態の吸収性物品が含まれる。
【００１７】
おむつ１は、着用状態において着用者の陰部（股下）を覆う股下領域に対応する部位である股下領域１Ｂと、着用者の胴周りにおける前身頃に対応する部位であって着用者の腹部側を覆うための前身頃領域１Ｆと、着用者の胴周りにおける後身頃に対応する部位であって着用者の背部側を覆うための後身頃領域１Ｒとを有する。ここで、前身頃領域１Ｆは股下領域１Ｂの前側に位置し、後身頃領域１Ｒは股下領域１Ｂの後側に位置する。本実施形態におけるおむつ１は、パンツ型の使い捨ておむつであるため、前身頃領域１Ｆの左側の縁と後身頃領域１Ｒの左側の縁は互いに接合され、前身頃領域１Ｆの右側の縁と後身頃領域１Ｒの右側の縁は互いに接合されている。よって、おむつ１には、前身頃領域１Ｆの上側の縁と後身頃領域１Ｒの上側の縁とによって胴開口部２Ｔが形成されている。また、おむつ１には、上記接合が施されない股下領域１Ｂの左側の部位に左下肢開口部２Ｌが形成され、股下領域１Ｂの右側の部位に右下肢開口部２Ｒが形成されている。そして、おむつ１は、着用者の左下肢が左下肢開口部２Ｌに挿通され、着用者の右下肢が右下肢開口部２Ｒに挿通され、着用者の胴部が胴開口部２Ｔに入るように装着されると、前身頃領域１Ｆが着用者の腹部側に配置され、後身頃領域１Ｒが着用者の背部側に配置され、左下肢開口部２Ｌと右下肢開口部２Ｒが着用者の大腿部を取り巻く状態で着用者の身体に固定される。おむつ１がこのような形態で着用者の身体に固定されるので、着用者はおむつ１を着用した状態で立ち歩き可能である。
【００１８】
おむつ１には、液体を吸収して保持することができる吸収体が主に股下領域１Ｂ付近を中心に配置されている。また、おむつ１には、おむつ１と着用者の肌との間に液体の流出経路となる隙間が形成されるのを抑制するべく、着用者の左下肢の大腿部を取り巻く左下肢開口部２Ｌに立体ギャザー３ＢＬが設けられ、着用者の右下肢の大腿部を取り巻く右下肢開口部２Ｒに立体ギャザー３ＢＲが設けられ、着用者の腹囲を取り巻く部位にウェストギャザー３Ｒが設けられている。立体ギャザー３ＢＬ，３ＢＲとウェストギャザー３Ｒは、糸ゴムの弾性力で着用者の肌に密着する。よって、着用者の陰部から排出される排泄液は、おむつ１から殆ど漏出することなくおむつ１の吸収体に吸収される。
【００１９】
図２は、実施形態に係るおむつ１の分解斜視図である。また、図３は、実施形態に係るおむつ１を展開し、伸長した状態を模式的に示した図である。図３（Ａ）は、展開及び伸長した状態のおむつ１を左側から見た場合の内部構造を模式的に示している。図３（Ｂ）は、展開及び伸長した状態のおむつ１の平面図を模式的に示している。
【００２０】
おむつ１は、着用者に着用された状態において外表面を形成するカバーシート４Ｆ，４Ｒとパッドカバーシート６とを有する。カバーシート４Ｆは、主におむつ１の前身頃領域１Ｆの外表面を形成する。また、パッドカバーシート６は、主におむつ１の股下領域１Ｂの外表面を形成する。また、カバーシート４Ｒは、主におむつ１の後身頃領域１Ｒの外表面を形成する。カバーシート４Ｆ，４Ｒとパッドカバーシート６は、おむつ１の外表面の補強や手触りの向上のために設けられ、例えば、排泄物の漏れを抑制するために、液不透過性の熱可塑性樹脂からなる不織布をその材料として用いることができる。ここで、液不透過性の熱可塑性樹脂としては、ポリエチレン（ＰＥ）やポリプロピレン（ＰＰ）等が例示できる。また、液不透過性のシートには、液不透過性と透湿性とが発揮されるように、０．１〜数μｍ程度の微細な孔が多数形成されていてもよい。
【００２１】
また、おむつ１は、カバーシート４Ｆの着用者側の面（着用者の肌側面）に積層されるインナーカバーシート５Ｆと、カバーシート４Ｆの着用者側の面に積層されるインナーカバーシート５Ｒとを有する。インナーカバーシート５Ｆは、カバーシート４Ｆのうち後述
する折り返し線４Ｆ６よりも股下領域１Ｂ側の部分に一致する形状を有するシート状の部材である。インナーカバーシート５Ｒもインナーカバーシート５Ｆと同様、カバーシート４Ｒのうち後述する折り返し線４Ｒ６よりも股下領域１Ｂ側の部分に一致する形状を有するシート状の部材である。
【００２２】
また、おむつ１は、パッドカバーシート６の着用者側の面において順に積層されるバックシート７、吸収体８、センターシート９を有する。パッドカバーシート６は、着用者の前身頃から股下を経由して後身頃へ届く長さを長手方向に有し、当該長手方向に対し直交する幅方向に所定の横幅を有する略直方体のシートである。また、バックシート７、吸収体８、センターシート９は、何れもパッドカバーシート６と同様に略長方形の外観を有するシート状の部材であり、長手方向がパッドカバーシート６の長手方向と一致する状態でパッドカバーシート６に対して順に積層されている。バックシート７は、排泄物の漏れを抑制するために液不透過性の熱可塑性樹脂を材料として形成されたシートである。また、センターシート９は、吸収体８の吸水面を被覆するように着用者の肌面側に配置される、シート状の部材である。このセンターシート９は、その一部又は全部において液透過性を有する。そのため、おむつ１が装着された状態において、着用者から排泄された液体は、着用者の肌に接触し得るセンターシート９を通って吸収体８に浸入し、そこで吸収される。センターシート９に用いられる液透過性のシートとしては、例えば、織布、不織布、多孔質フィルムが挙げられる。実施形態では、センターシート９には不織布が用いられる。また、センターシート９は親水性を有していてもよい。
【００２３】
吸収体８は、パルプ繊維、レーヨン繊維、またはコットン繊維のようなセルロース系繊維の短繊維や、ポリエチレン、ポリプロピレン、またはポリエチレンテレフタレート等の合成繊維に親水化処理を施した短繊維の隙間に、水を吸収し保持することのできる架橋構造を持つ親水性の高吸収性重合体等の粒状の吸収性樹脂を保持させた構造を有する。よって、吸収体８は、着用者から排泄された液体を吸収すると、短繊維内の隙間に保持された吸収性樹脂を膨潤させて該液体を短繊維内に保持する。吸収体８は、１枚のマットからなる単層構造であってもよいし、複数枚のマットを重ね合わせた積層構造であってもよい。また、吸収体８は、目的に応じた適宜の形状を採ることができる。吸収体８の形状としては、例えば、矩形状、中央部付近が括れた砂時計型、その他各種の形状が挙げられる。
【００２４】
バックシート７、吸収体８、センターシート９は、何れも前身頃領域１Ｆから後身頃領域１Ｒにまで延在する。よって、バックシート７、吸収体８、センターシート９が積層されているパッドカバーシート６で着用者の陰部（股下）を覆うと、バックシート７、吸収体８、センターシート９の各長手方向の両端部は、着用者の腹側と背側に位置する状態となる。すなわち、着用者の陰部は、着用者の腹側から背側まで吸収体８に覆われる状態となる。したがって、着用者が腹を下へ向けた姿勢と背を下へ向けた姿勢の何れの姿勢で液体を体外へ排出しても、排出された液体はセンターシート９を介して吸収体８に接触することになる。
【００２５】
また、おむつ１は、上述した立体ギャザー３ＢＬ，３ＢＲを形成するための細長い帯状のサイドシート１０Ｌ，１０Ｒを有する。サイドシート１０Ｌ，１０Ｒは、センターシート９の長辺の部分に設けられる。そして、サイドシート１０Ｌ，１０Ｒには糸ゴム１０Ｌ１，１０Ｒ１が長手方向に沿って接着されている。よって、サイドシート１０Ｌ，１０Ｒは、前身頃領域１Ｆの左側の縁となるカバーシート４Ｆの縁４Ｆ７と、後身頃領域１Ｒの左側の縁となるカバーシート４Ｒの縁４Ｒ７とが互いに接合され、且つ、前身頃領域１Ｆの右側の縁となるカバーシート４Ｆの縁４Ｆ８と、後身頃領域１Ｒの右側の縁となるカバーシート４Ｒの縁４Ｒ８とが互いに接合されることにより、図１に示したような完成状態のおむつ１になると、糸ゴム１０Ｌ１，１０Ｒ１の収縮力で長手方向に引き寄せられて折り返し線１０Ｌ２，１０Ｒ２に沿ってセンターシート９から立ち上がる。その結果、左下
肢開口部２Ｌ及び右下肢開口部２Ｒからの液体の流出を防ぐ立体ギャザー３ＢＬ，３ＢＲが形成される。なお、カバーシート４Ｆにおける縁４Ｆ７及びカバーシート４Ｒにおける縁４Ｒ７、カバーシート４Ｆにおける縁４Ｆ８及びカバーシート４Ｒにおける縁４Ｒ８の接合方法は特に限定されないが、例えば、ヒートシール、高周波シール、超音波シール等によって行うことができる。
【００２６】
また、おむつ１は、パッドカバーシート６、バックシート７、吸収体８、センターシート９、サイドシート１０Ｌ，１０Ｒを挟んでカバーシート４Ｆの着用者側の面に積層される通気路形成シート１１Ｆと、カバーシート４Ｒの着用者側の面に積層される通気路形成シート１１Ｒとを有する。通気路形成シート１１Ｆは、センターシート９の長手方向における一端側においてカバーシート４Ｆに重ねられる。また、通気路形成シート１１Ｒは、センターシート９の長手方向における他端側においてカバーシート４Ｒに重ねられる。なお、本願においてシートが重なる状態とは、重ね合わされるシート同士が互いに全面的に接触する状態で重なる形態に限定されるものでなく、シートの一部分同士が重なる形態を含む概念である。例えば、通気路形成シート１１Ｆは、パッドカバーシート６の長手方向における一端側の一部分が、カバーシート４Ｆの一部分に触れる状態で重ねられる。
【００２７】
通気路形成シート１１Ｆには、前身頃領域１Ｆの上側の縁に沿う左右方向に延在する領域に通気用の微細な通気孔１１Ｆ１が多数配列されている。通気路形成シート１１Ｒにも通気路形成シート１１Ｆと同様、通気孔１１Ｒ１が多数配列されている。ここで、通気孔とは、シートの一方の面の側の空間と他方の面の側の空間とを連通させる開口部を意味し、その形状は特に限定されない。よって、通気孔１１Ｆ１，１１Ｒ１としては、例えば、円形、楕円形、多角形（三角形、四角形等）等の形状の開口部を適用することができる。通気路形成シート１１Ｆ，１１Ｒへの通気孔１１Ｆ１，１１Ｒ１の形成は、該通気路形成シート１１Ｆ，１１Ｒが通気性を有しない素材であることを意味するものでは無く、該通気路形成シート１１Ｆ，１１Ｒは通気性を有する素材と通気性を有しない素材の何れであってもよい。通気路形成シート１１Ｆ，１１Ｒは、通気性や液透過性を有する素材であることが好ましいが、例えば、非通気性の素材であってもよい。通気孔１１Ｆ１，１１Ｒ１の大きさや個数は特に限定されないが、例えば、開口面積が０．５〜１０ｍｍ２の孔であれば５〜２００個程度形成されることが好ましい。
【００２８】
上記のように、おむつ１は、吸収体８を間に挟んだバックシート７及びセンターシート９の他、カバーシート４Ｆ，４Ｒ、通気路形成シート１１Ｆ，１１Ｒ、パッドカバーシート６、サイドシート１０Ｌ，１０Ｒが積み重なって形成されているため、これら複数のシートを積み重ねた積層体を有していると言える。
【００２９】
ここで、図３に示すように、カバーシート４Ｆは、折り返し線４Ｆ６において一端側が折り返されている。上述したウェストギャザー３Ｒは、カバーシート４Ｆに対して糸ゴム（糸状のゴム）４Ｆ２，４Ｆ３が接着され、カバーシート４Ｒに対して糸ゴム（糸状のゴム）４Ｒ２，４Ｒ３が接着されることで形成される。カバーシート４Ｆに接着される糸ゴム４Ｆ２，４Ｆ３は、折り返されると前身頃領域１Ｆの上側の縁を形成することになる折り返し線４Ｆ６沿いに、折り返し線４Ｆ６側から糸ゴム４Ｆ２、糸ゴム４Ｆ３の順に設けられている。また、カバーシート４Ｒに接着される糸ゴム４Ｒ２，４Ｒ３も、糸ゴム４Ｆ２，４Ｆ３と同様、折り返されると後身頃領域１Ｒの上側の縁を形成することになる折り返し線４Ｒ６沿いに、折り返し線４Ｒ６側から糸ゴム４Ｒ２、糸ゴム４Ｒ３の順に設けられている。このため、糸ゴム４Ｆ２，４Ｆ３は、伸縮方向となる胴回り方向がおむつ１の左右方向となる向きでカバーシート４Ｆに設けられることになる。また、糸ゴム４Ｒ２，４Ｒ３は、伸縮方向となる長手方向がおむつ１の左右方向となる向きでカバーシート４Ｒに設けられることになる。よって、縁４Ｆ７と縁４Ｒ７が互いに接合され、縁４Ｆ８と縁４Ｒ８が互いに接合されると、糸ゴム４Ｆ２，４Ｆ３と糸ゴム４Ｒ２，４Ｒ３は、胴開口
部２Ｔに沿って周回する実質的に環状の伸縮部材を形成し、胴開口部２Ｔを胴周り方向に収縮させる機能を発揮する。すなわち、糸ゴム４Ｆ２，４Ｆ３と糸ゴム４Ｒ２，４Ｒ３は、収縮力を発揮しておむつ１を着用者に密着させ、おむつ１と着用者の腹囲との間に隙間が形成されるのを防ぐ。
【００３０】
更に、カバーシート４Ｆには糸ゴム４Ｆ４，４Ｆ５が接着され、カバーシート４Ｒには糸ゴム４Ｒ４，４Ｒ５が接着されている。糸ゴム４Ｆ４，４Ｆ５は、カバーシート４Ｆのうち糸ゴム４Ｆ３よりも股下領域１Ｂ側の領域に設けられる伸縮部材である。ただし、糸ゴム４Ｆ４，４Ｆ５は、カバーシート４Ｆの左端から右端まで途切れることなく接着される糸ゴム４Ｆ２，Ｆ３とは異なり、吸収体８に対応する部位となる幅方向中央部が所定の横幅分だけカットされている。カバーシート４Ｆは、吸収体８に対応する部位となる幅方向中央部がカットされた糸ゴム４Ｆ４，４Ｆ５を有することにより、吸水による吸収体８の膨張を阻害することなく、着用者の下腹部に適度な密着感を付与する。カバーシート４Ｒについてもカバーシート４Ｆと同様であり、吸収体８に対応する部位となる幅方向中央部が所定の横幅分だけカットされた糸ゴム４Ｒ４，４Ｒ５がカバーシート４Ｒに接着されることで、着用者の下腹部に適度な密着感を付与する。
【００３１】
ところで、図３を見ると判るように、糸ゴム４Ｆ２は、図１に示した前身頃領域１Ｆの上側の縁となる部分に沿って左右方向に延在するように設けられている。糸ゴム４Ｆ２は、所定の間隔を空けて３本平行に設けられている。そして、糸ゴム４Ｆ３は、３本ある糸ゴム４Ｆ２の隣で糸ゴム４Ｆ２と同様に左右方向に延在するように複数本設けられている。糸ゴム４Ｆ３は、おむつ１が着用された状態において、着用者の骨盤の左右両端部が位置する部位の付近に位置することで、おむつ１を着用者の腰に保持させる機能を主に担う。また、糸ゴム４Ｆ２は、おむつ１が着用された状態において、着用者の腹囲を糸ゴム４Ｆ３よりも上側で包囲することにより、おむつ１から液体が漏出するのを防ぐ機能や、糸ゴム４Ｆ３の収縮力に起因する着用者への圧迫感を緩和する機能、おむつ１内の湿気を排出する機能を担う。なお、糸ゴム４Ｆ４と糸ゴム４Ｆ５は、図３に示されるように、糸ゴム４Ｆ３の隣で糸ゴム４Ｆ３と同様に左右方向に延在するように複数本設けられている。そして、上述したように、糸ゴム４Ｆ４，４Ｆ５は、吸収体８に対応する部位がカットされている。
【００３２】
図４は、前身頃領域１Ｆにおいて、糸ゴム４Ｆ２同士の間隔とウェストギャザー３Ｒに現れる通気路の大きさとの関係を示した図である。図４（Ａ）で示される図は、ウェストギャザー３Ｒを着用者の肌が触れる方から見た場合の図である。また、図４（Ｂ）で示される図は、おむつ１の側方から見た場合のウェストギャザー３Ｒ内の内部構造を示した図である。また、図４（Ｃ）で示される図は、おむつ１の上方からウェストギャザー３Ｒを見た場合の様子を示した図である。また、図４（Ｄ）で示される図は、ウェストギャザー３Ｒが収縮した状態における、おむつ１の上方からウェストギャザー３Ｒを見た場合の状態を示した図である。図４では、説明の便宜上、ウェストギャザー３Ｒのうち前身頃領域１Ｆが図示されているが、ウェストギャザー３Ｒのうち後身頃領域１Ｒの部分についても同様である。
【００３３】
図４に示されるように、カバーシート４Ｆは、図２に示した折り返し線４Ｆ６で折り返され、更に通気路形成シート１１Ｆが重ねられて接合される。接合は、各糸ゴムとシートが伸長された状態で行われる。図４（Ａ）で示される図にある符号Ｓの破線は、接合された部分である。また、図４（Ｃ）および図４（Ｄ）で示される図にある符号Ｓの箇所は、接合された部分である。
【００３４】
折り返し線４Ｆ６においてカバーシート４Ｆが折り返された状態でカバーシート４Ｆと通気路形成シート１１Ｆとを接合する接合部分Ｓは、図４（Ａ）で示される図を見ると判
るように、図１に示した前身頃領域１Ｆの上側の縁に対し直角の方向に延在する直線状の形態となっている。接合部分Ｓは、平行に複数設けられており、更に各間隔が大小交互となるように設けられている。よって、接合部分Ｓは、図４を見ると判るように、二重線が等間隔で並ぶような形態となっている。接合部分Ｓによって構成される二重線が等間隔で並ぶような形態を採ることにより、図４（Ｄ）で示されるように、収縮後のウェストギャザー３Ｒに第１通気路１２と第２通気路１３が交互に形成される。これは、接合が各糸ゴムとシートを伸長した状態で行われ、その後に伸長状態が解かれてウェストギャザー３Ｒが糸ゴム４Ｆ２の収縮力で縮むと、二重線を構成する２つの接合部分Ｓの間という間隔の狭い部分でシートの撓みにより相対的に小さい第１通気路１２が形成され、二重線同士の間という間隔の広い部分ではシートの撓みにより相対的に大きい第２通気路１３が形成されるためである。
【００３５】
二重線が等間隔で並ぶような形態の接合部分Ｓが形成されることにより、収縮後のウェストギャザー３Ｒにはシートの撓みにより形成される第１通気路１２と第２通気路１３が大小交互に波型で形成される。図４（Ｄ）に二点鎖線で示す符号ＳＳは、おむつ１を着用者が着用した場合に、通気路形成シート１１Ｆに当接する肌面を仮想線として示したものである。第２通気路１３は、おむつ１を着用者が装着した際に、通気路形成シート１１Ｆの肌当接面と着用者の肌との間に形成される隙間として形成される。おむつ１と着用者の肌面との間における湿気は、ウェストギャザー３Ｒに形成される第２通気路１３を通じて外部に排出することができる。第１通気路１２は、通気路形成シート１１Ｆの通気孔１１Ｆ１を透過した湿気が通る経路である。おむつ１は、おむつ１と肌面との間で生じる湿気を通気孔１１Ｆ１を介して第１通気路１２に導入して外部に排出することができる。これにより、おむつ１は、着用者の蒸れ感を抑制できる。第２通気路１３は、おむつ１と肌面との間の空間と、おむつ１の外部空間とを直接的に連通する経路であり、おむつ１内の湿気をより円滑に排出する。また、通気路形成シート１１Ｒは通気孔１１Ｒ１を備えているので、おむつ１は、ウェストギャザー３Ｒの後身頃領域１Ｒにおいても同様の効果を得ることができる。
【００３６】
次に、実施形態に係るおむつ１のセンターシート９について詳細に説明する。図３に示すように、センターシート９は、吸収体８の肌面側を覆う液透過性のシート部材である。センターシート９は、前身頃領域１Ｆと後身頃領域１Ｒを結ぶ方向が長手方向となる長方形状を有している。
【００３７】
図５は、センターシート９を肌面側から見た平面図である。図中、上側が前身頃領域１Ｆであり、下側が後身頃領域１Ｒである。センターシート９は、前身頃領域１Ｆと後身頃領域１Ｒに跨って配置されている。また、センターシート９は、肌面側に配置された上側シート９Ａと、上側シート９Ａに重ねられて吸収体８側に配置された下側シート９Ｂと、を有している。上側シート９Ａ及び下側シート９Ｂには、不織布が用いられる。また、上側シート９Ａと下側シート９Ｂとは、略同じ大きさの長方形状を有し、それらの長手方向及び幅方向が一致するように重ねられている。上側シート９Ａと下側シート９Ｂとは、長手方向の各端部で接合されている。また、上側シート９Ａには、複数の弁部２０が形成されている。複数の弁部２０は、マトリクス状に多数配列されている。なお、複数の弁部２０は、千鳥状やその他の配置パターンで配置されていてもよい。
【００３８】
図６（Ａ）は、図５において円形状の点線で囲んだ領域Ａの拡大図である。弁部２０は、上側シート９Ａを厚さ方向に貫通した曲線状の切り込み２１によって画定され、切り込み２１の各端部２１Ａ，２１Ｂを結ぶ切り残し２２によって上側シート９Ａに繋がっている。平面視において、切り込み２１は、Ｃ字やＵ字やＶ字等の凸状となる曲線であって、切り残し２２が直線状となり、切り残し２２で弁部２３が肌側シート９Ａに繋がるように形成されている。実施形態において、切り込み２１は、中心角θが約２７０度の扇型の弧
状であって、略Ｃ字形状である。なお、切り込み２１は、例えば、半円状であってもよいし、Ｕ字状であってもよいし、Ｖ字状であってもよい。切り込み２１は、一方向に凸となり、凸側の反対側に直線状の切り残り２２を残すように形成されるとよい。
【００３９】
図６（Ｂ）は、図６（Ａ）中の弁部２０及び切り残し２２の中心を通るＢ−Ｂ線で切断した断面図である。弁部２０は、切り残し２２を起点として、下側シート９Ｂ側に曲がっており、下側シート９Ｂに接合されている。図６（Ｂ）では、弁部２０と下側シート９Ｂとの接合部Ｓ１を楕円状の点線で囲んで示している。弁部２０と下側シート９Ｂとは、例えば、ホットメルトや超音波融着や熱融着で接合されている。
【００４０】
弁部２０が下側シート９Ｂに接合されることで、上側シート９Ａの肌面側と上側シート９Ａと下側シート９Ｂとの間の空間２４を連通する孔２３が形成される。おむつ１は、水様便に含まれる固形物を孔２３から空間２４に導入する。更におむつ１は、水様便に含まれる液体を下側シート９Ｂより下層に配置されている吸収体８で吸収する。これにより、おむつ１は、水様便に含まれる固形物と液体とを分離することができる。おむつ１は、水様便に含まれる固形物と液体とを分離して水様便の流動性を失わせつつ、固形物を空間２４内に収納し、液体を吸収体８で吸収することで、漏れを抑制できる。なお、下側シート９Ｂを貫通する孔や切り込み等を形成することで、下側シート９Ｂの下層に配置された吸収体８に液体をより導入し易くすることができる。
【００４１】
また、センターシート９は前身頃領域１Ｆから後身頃領域１Ｒに跨って配置されており、装着状態において、下側シート９Ｂは上側シート９Ａよりも相対的に長手方向中央部から前身頃領域１Ｆ方向と後身頃領域１Ｒ方向に移動するので、下側シート９Ｂが弁部２０を引っ張ることにより孔２３が拡張される。このように、おむつ１では、孔２３から固形物を空間２４に導入し易くするために、装着状態において孔２３が拡張されるのが望ましい。これにより、おむつ１は、孔２３から固形物を空間２４に導入し易くすることができる。
【００４２】
また、図７に示すように。おむつ１において、複数の弁部２０は、上側シート９Ａにおける着用者の肛門が当接する肛門当接位置２５に切り残し２２が向かうように形成されていてもよい。図７は、図５と同様にセンターシート９を肌面側から見た平面図である。上側シート９Ａ上には、股下領域１Ｂ内に位置して着用者の肛門が当接する肛門当接位置２５が規定される。弁部２０は、上側シート９Ａにおいて、肛門当接位置２５よりも前身頃領域１Ｆ側の第１領域Ａ１と、肛門当接位置２５よりも後身頃領域１Ｒ側の第２領域Ａ２とに、複数形成されている。第１領域Ａ１における弁部２０は、後身頃領域１Ｒ側に切り残し２２が向くように形成されている。第２領域Ａ２における弁部２０は、前身頃領域１Ｆ側に切り残し２２が向くように形成されている。着用者の肛門から上側シート９Ａ上に排出された水様便は、肛門当接位置２５から前身頃領域１Ｆ方向又は後身頃領域１Ｒ方向に拡散される。おむつ１は、肛門当接位置２５よりも前身頃領域１Ｆ側の第１領域Ａ１において切り残り２２が後身頃領域１Ｒ側に向き、肛門当接位置２５よりも後身頃領域１Ｒ側の第２領域Ａ２において切り残り２２が前身頃領域１Ｆ側に向くように各弁部２０を配置することで、排出された水様便の固形物の移動方向に沿って切り残り２５から弁部２０を介して孔２３に当該固形物を案内することができる。これにより、おむつ１は、水様便の固形物を迅速に孔２３から空間２４に導入することで、漏れを抑制できる。
【００４３】
次に、孔２３を拡張できる構成例について説明する。図８は、図５と同様にセンターシート９を肌側から見た平面図である。本例では、センターシート９に伸縮部材である糸ゴム２６が複数配置されている。
【００４４】
図８に示すように、上側シート９Ａには複数の糸ゴム２６が配置されている。各糸ゴム
２６は、前身頃領域１Ｆと後身頃領域１Ｒを結ぶ方向（長手方向）に伸長した状態で、第１領域Ａ１と第２領域Ａ２との間を中心として伸縮するように上側シート９Ａに接着されている。なお、各糸ゴム２６は、上側シート９Ａの肌面側と下側シート９Ｂ側のいずれに接着されていてもよい。また、各糸ゴム２６は、マトリクス状に配列された各弁部２０間に配置されている。上側シート９Ａは、糸ゴム２６が第１領域Ａ１と第２領域Ａ２との間を中心として収縮することで、第１領域Ａ１では後身頃領域１Ｒ方向に収縮し、第２領域Ａ２では前身頃領域１Ｆ方向に収縮する。おむつ１は、肛門当接位置２５よりも前身頃領域１Ｆ側の第１領域Ａ１において切り残り２２が後身頃領域１Ｒ側に向き、肛門当接位置２５よりも後身頃領域１Ｒ側の第２領域Ａ２において切り残り２２が前身頃領域１Ｆ側に向くように各弁部２０が配置されており、肛門当接位置２５に向かって切り残り２２が移動するように上側シート９Ａを下側シート９Ｂに対して相対的に移動させることで、移動させることで、孔２３を拡張することができる。これにより、おむつ１は、孔２３から空間２４に水様便の固形物を導入し易くして、漏れを抑制できる。
【００４５】
また、伸縮部材である糸ゴム２６は、下側シート９Ｂに配置されていてもよい。図９は、下側シート９Ｂを肌面側から見た平面図である。図９に示すように、下側シート９Ｂには複数の糸ゴム２６が配置されている。図９では、説明のために、上側シート９Ａにおける肛門当接位置２５、第１領域Ａ１及び第２領域Ａ２を図示している。各糸ゴム２６は、前身頃領域１Ｆと後身頃領域１Ｒを結ぶ方向（長手方向）に伸長した状態で、第１領域Ａ１と第２領域Ａ２との間に対応する位置を中心として伸縮するように上側シート９Ａに接着されている。なお、第１領域Ａ１と第２領域Ａ２との間に対応する位置とは、センターシート９を厚さ方向に見て上側シート９Ａの第１領域Ａ１と第２領域Ａ２との間の位置に重なる位置である。なお、各糸ゴム２６は、下側シート９Ａの上側シート９Ａ側と吸収体８側のいずれに接着されていてもよい。
【００４６】
下側シート９Ｂは、各糸ゴム２６が収縮することで、第１領域Ａ１に対応する領域では後身頃領域１Ｒ方向に収縮し、第２領域Ａ２に対応する領域では前身頃領域１Ｆ方向に収縮する。おむつ１は、肛門当接位置２５よりも前身頃領域１Ｆ側の第１領域Ａ１において切り残り２２が後身頃領域１Ｒ側に向き、肛門当接位置２５よりも後身頃領域１Ｒ側の第２領域Ａ２において切り残り２２が前身頃領域１Ｆ側に向くように各弁部２０が配置されており、肛門当接位置２５に向かって接合部Ｓ１と供に切り残り２２が移動するように下側シート９Ｂを上側シート９Ａに対して相対的に移動させることで、孔２３を拡張することができる。これにより、おむつ１は、孔２３から空間２４に導入し易くして、漏れを抑制できる。
【００４７】
なお、図８及び図９に示す例において、糸ゴム２６は、上側シート９Ａ及び下側シート９Ｂのいずれか一方に少なくとも１本以上配置されていればよい。おむつ１は、上側シート９Ａ又は下側シート９Ｂを収縮させることで、孔２３を拡張することができる。
【００４８】
なお、上記実施形態では、おむつ１が例示されていたが、その他の形態の吸収性物品においても上記構成や製造方法を適用可能である。上記構成や製造方法を適用可能な吸収性物品としては、例えば、パンツ型の使い捨ておむつ、テープ型の使い捨ておむつ、尿パッド、軽失禁パッドといったギャザー付きの各種形態の吸収性物品や、ギャザーの無いフラットな吸収性物品を挙げることができる。
【符号の説明】
【００４９】
１・・おむつ：１Ｂ・・股下領域：１Ｆ・・前身頃領域：１Ｒ・・後身頃領域：２Ｔ・・胴開口部：２Ｌ・・左下肢開口部：２Ｒ・・右下肢開口部：３ＢＬ，３ＢＲ・・立体ギャザー：３Ｒ・・ウェストギャザー：４Ｆ，４Ｒ・・カバーシート：４Ｆ１，４Ｒ１・・開口：４Ｆ２，４Ｆ３，４Ｆ４，４Ｆ５，４Ｒ２，４Ｒ３，４Ｒ４，４Ｒ５，１０Ｌ１，１
０Ｒ１・・糸ゴム：４Ｆ６，４Ｒ６，１０Ｌ２，１０Ｒ２・・折り返し線：４Ｆ７，４Ｆ８，４Ｒ７，４Ｒ８・・縁：５Ｆ，５Ｒ・・インナーカバーシート：６・・パッドカバーシート：７・・バックシート：８・・吸収体：９・・センターシート：９Ａ・・上側シート：９Ｂ・・下側シート：１０Ｌ，１０Ｒ・・サイドシート：１１Ｆ，１１Ｒ・・通気路形成シート：１１Ｆ１，１１Ｒ１・・通気孔：Ｓ・・接合部分：１２・・第１通気路：１３・・第２通気路：２０・・弁部：２１・・切り込み：２１Ａ，２１Ｂ・・切り込み端部：２２・・切り残し：２３・・孔：２４・・空間：２５・・肛門当接位置：２６・・糸ゴム：Ｓ１・・接合部：Ａ１・・第１領域：Ａ２・・第２領域
【図１】
2020092895.tif 000003
【図２】
2020092895.tif 000004
【図３】
2020092895.tif 000005
【図４】
2020092895.tif 000006
【図５】
2020092895.tif 000007
【図６】
2020092895.tif 000008
【図７】
2020092895.tif 000009
【図８】
2020092895.tif 000010
【図９】
2020092895.tif 000011